(57)【要約】【課題】嵌め込み式マルチメディアスピーカ装置の提供。【解決手段】５又は１／４インチディスクドライブと同サイズの五面閉合ケースの中央に内凹部が形成され、並びに低音スピーカが内凹部に架設され並びにスピーカ口が下向きとされ、別に音再生機能を具えた基板がケースの内側後方に設置され、パネルがケースの前方に設置され、その両側にそれぞれスピーカが設置され、２本の導音管の一端がスピーカの後方に連接され、別端がケースの外部に連接され、こうして５又は１／４インチディスクドライブスロットに組み付けられるスピーカ装置が形成されている。【選択図】　　　　図１
0003098373.tif 000002
【実用新案登録請求の範囲】
【請求項１】
嵌め込み式マルチメディアスピーカ装置において、ディスクドライブと同サイズの五面閉合のケースを具え、該ケースの底面中央に内凹部が形成され、低音スピーカがスピーカ口を下向きとして内凹部に架設され、該ケースの内部に音再生機能を具えた基板が設けられて音再生を制御し、パネルが該ケースの前方を封じるように取り付けられ、該パネルの両側にそれぞれスピーカが設けられ、二本の導音管の一端が該スピーカの後方に連接され、別端がケースの外部に連接されたことを特徴とする、嵌め込み式マルチメディアスピーカ装置。
【請求項２】
請求項１記載の嵌め込み式マルチメディアスピーカ装置において、ケース底面の内凹部の後方に排圧溝が凹設され、低音スピーカの音圧が後方に導出されることを特徴とする、嵌め込み式マルチメディアスピーカ装置。
【請求項３】
請求項１記載の嵌め込み式マルチメディアスピーカ装置において、パネルの両側のスピーカが、その外側端が後方に約１０〜２０度の傾角を成すように配置されたことを特徴とする、嵌め込み式マルチメディアスピーカ装置。
【請求項４】
請求項１記載の嵌め込み式マルチメディアスピーカ装置において、パネルの中央に内向きに延伸された導音管が設けられて低音スピーカの音声を前方に伝導することを特徴とする、嵌め込み式マルチメディアスピーカ装置。
【請求項５】
請求項１記載の嵌め込み式マルチメディアスピーカ装置において、基板の回路にあって、デュアル音声チャンネルの音波信号が増幅器で増幅された後に、二つの部分に分けられ、その一部分が立体音声増幅器で増幅された後に、内部に置かれた左右のスピーカに送られ、もう一つの部分はミキシングローパスフィルタを経由し、さらに増幅器を経由して１８０度位相変換され、さらに低温パワー増幅器に送られ、さらに低温スピーカに送られ、内部に置かれたスピーカを駆動する動作が完成され、左右の音声チャンネル信号の別の部分は低騒音イヤホンパワー増幅器に送られ、イヤホンを駆動して立体音声を提供するか、或いはマイクロホンの発音に供され、このほか、イヤホン検出器が設けられてイヤホンの挿入の有無によりスピーカを静音とするか否かを決定することを特徴とする、嵌め込み式マルチメディアスピーカ装置。
【考案の詳細な説明】
【０００１】
【考案の属する技術分野】
本考案は一種の嵌め込み式マルチメディアスピーカ装置に係り、特に、コンピュータのディスクドライブスロットに組み合わされるスピーカ装置であり、スピーカが卓上の空間を占用せず、コンピュータの周辺設備をさらに簡潔とし、外観を良くし、卓上の使用空間を増加する、嵌め込み式マルチメディアスピーカ装置に関する。
【０００２】
【従来の技術】
市販されているコンピュータ用のスピーカ装置は、単独のコンピュータ周辺設備とされ、ほとんどが二つで一組とされ、且つそれぞれコンピュータデスク或いはコンピュータの両側に置かれる。スピーカ装置の後方は電線でコンピュータ背面のスピーカソケットに連接され、バランスのとれたサウンドを再生する。良好なサウンド効果を得るため、このスピーカ装置は一定の体積を具備するため、卓上に置かれると場所を取るが、下に置くと音質が不良となく、また地面の空間を占用する。しかし、スピーカ装置の体積を直接縮小すると、音質が悪くなる。このため、卓上の場所を取らず、強力な立体効果を有するマルチメディアスピーカ装置が切望されている。
【０００３】
【考案が解決しようとする課題】
本考案の主要な目的は、一種の嵌め込み式マルチメディアスピーカ装置を提供することにあり、それは、直接コンピュータの５又は１／４インチディスクドライブスロットに組み付けることができ、スピーカ装置とコンピュータを一体に結合させることができ、スピーカ装置を卓上に別に置く必要がなく、このため卓上の空間を節約し、整然とした美観を提供することができ、細心の組合せにより最良の音の立体再生効果を有するものとされる。
【０００４】
【課題を解決するための手段】
請求項１の考案は、嵌め込み式マルチメディアスピーカ装置において、ディスクドライブと同サイズの五面閉合のケースを具え、該ケースの底面中央に内凹部が形成され、低音スピーカがスピーカ口を下向きとして内凹部に架設され、該ケースの内部に音再生機能を具えた基板が設けられて音再生を制御し、パネルが該ケースの前方を封じるように取り付けられ、該パネルの両側にそれぞれスピーカが設けられ、二本の導音管の一端が該スピーカの後方に連接され、別端がケースの外部に連接されたことを特徴とする、嵌め込み式マルチメディアスピーカ装置としている。
請求項２の考案は、請求項１記載の嵌め込み式マルチメディアスピーカ装置において、ケース底面の内凹部の後方に排圧溝が凹設され、低音スピーカの音圧が後方に導出されることを特徴とする、嵌め込み式マルチメディアスピーカ装置としている。
請求項３の考案は、請求項１記載の嵌め込み式マルチメディアスピーカ装置において、パネルの両側のスピーカが、その外側端が後方に約１０〜２０度の傾角を成すように配置されたことを特徴とする、嵌め込み式マルチメディアスピーカ装置としている。
請求項４の考案は、請求項１記載の嵌め込み式マルチメディアスピーカ装置において、パネルの中央に内向きに延伸された導音管が設けられて低音スピーカの音声を前方に伝導することを特徴とする、嵌め込み式マルチメディアスピーカ装置としている。
請求項５の考案は、請求項１記載の嵌め込み式マルチメディアスピーカ装置において、基板の回路にあって、デュアル音声チャンネルの音波信号が増幅器で増幅された後に、二つの部分に分けられ、その一部分が立体音声増幅器で増幅された後に、内部に置かれた左右のスピーカに送られ、もう一つの部分はミキシングローパスフィルタを経由し、さらに増幅器を経由して１８０度位相変換され、さらに低温パワー増幅器に送られ、さらに低温スピーカに送られ、内部に置かれたスピーカを駆動する動作が完成され、左右の音声チャンネル信号の別の部分は低騒音イヤホンパワー増幅器に送られ、イヤホンを駆動して立体音声を提供するか、或いはマイクロホンの発音に供され、このほか、イヤホン検出器が設けられてイヤホンの挿入の有無によりスピーカを静音とするか否かを決定することを特徴とする、嵌め込み式マルチメディアスピーカ装置としている。
【０００５】
【考案の実施の形態】
本考案によると、５又は１／４インチディスクドライブと同サイズの五面閉合ケースの中央に内凹部が形成され、並びに低音スピーカが内凹部に架設され並びにスピーカ口が下向きとされ、別に音再生機能を具えてサウンド出力を制御する基板が設けられ、パネルがケースの前方に設置され、その両側にそれぞれスピーカが設置され、２本の導音管の一端がスピーカの後方に連接され、別端がケースの外部に連接され、こうして５又は１／４インチディスクドライブスロットに組み付けられるスピーカ装置が形成され、直接コンピュータに組み付けられてコンピュータデスクの空間を占用しないものとされている。
【０００６】
【実施例】
図１、２、６に示されるように、本考案は、５又は１／４インチディスクドライブと同サイズの五面閉合のケース１０を具え、該ケース１０の底面中央に内凹部１１が形成され、並びに低音スピーカ５０がスピーカ口を下向きとして内凹部１１に架設され、低音スピーカ５０の正面（図４の下方を参照されたい）に十分な排圧のための空間が保留され、これにより低音スピーカ５０の音波が十分な排出空間を具備するものとされる。図４、６に示されるように、該内凹部１１の後方にさらに適当な幅の排圧溝１２が凹設され、音圧を後方に向けて排出させる。このほか、図１、３に示されるように、音再生機能を具えた基板３０がケース１０の内側後方に設置されている。
【０００７】
図１、２、３に示されるように、パネル２０がケース１０の前方を封じ、その中央に内向きに延伸された導音管２００が設置されて、低音スピーカ５０の音声を前方へと伝導する。パネル２０の両側にそれぞれスピーカ２１が設置され、且つ各スピーカ２１は、その外側端部が内向き後方に約１０〜２０導音管の傾角（θ）を呈するよう斜めに配置され、この設計により音声を外向きに拡散させて立体の臨場感を具備させる。このほか、２本の導音管４０の一端が左右のスピーカ２１の後方に連接され、別端がケース１０の外部に連接され、該導音管４０の機能は、左右のスピーカ２１の負相波の気流を導出し、二つのスピーカ２１の大音圧パワーにより引き起こされる箱の共振周波数点のフローティングを抑制することにある。このほか、パネル２０の外部に複数の調整用のスイッチ２２が設けられている。
【０００８】
図７に示されるのは、本考案の基板３０とその関係部品の回路ブロック図である。図１、７に示されるように、デュアルチャンネルの音波信号は増幅器３１で増幅された後に、二つの部分に分けられ、一部分は立体音声増幅器３７で増幅された後に、内部に置かれた左右のスピーカ２１に送られ、もう一つの部分はミキシングローパスフィルタ３２を経由し、さらに増幅器３３を経由して１８０度位相変換され、さらに低温パワー増幅器３４に送られ、さらに低温スピーカ５０に送られ、内部に置かれたスピーカを駆動する動作を完成する。左右の音声チャンネル信号の別の部分は低騒音イヤホンパワー増幅器３６に送られ、イヤホン６０を駆動して立体音声を提供するか、或いはマイクロホン６１の発音に供される。このほか、イヤホン検出器３５が設けられてイヤホン６０の挿入の有無によりスピーカ２１を静音とするか否かを決定する。
【０００９】
【考案の効果】
本考案の設計は巧妙であり、実施上、図５に示されるように、直接コンピュータの５又は１／４インチディスクドライブスロット内に組み付けられ、以下のような効果を有する。
１．本考案はディスクドライブサイズに設計され、直接コンピュータに組み付けられ、ゆえにコンピュータデスク上の空間を占用せず、並びに全体の美観を有している。
２．本考案は内部に十分に正位相音波を排出できる低音スピーカが設けられ、前端両側に外向きに傾いた小さいスピーカが設けられ、立体的な音質を提供でき、また後方に導音管が設けられ、雑音が減少され、極めて良好な音再生機能を有する。
【００１０】
本考案は体積を減少し、良好な音質を提供する長所を有しており、実用新案登録の要件を具備している。
【図面の簡単な説明】
【図１】本考案の構造分解図である。
【図２】本考案の構造外観図である。
【図３】本考案の平面構造表示図である。
【図４】本考案の部分側面断面図である。
【図５】本考案の使用実施例図である。
【図６】本考案のケースを逆さにした斜視図である（低音スピーカが上向きとされている）。
【図７】本考案の基板と関係部品の回路ブロック図である。
【符号の説明】
１０　ケース　　　　　　１１　内凹部
１２　排圧溝　　　　　　２０　パネル
２００　導音管　　　　　２１　スピーカ
２２　スイッチ　　　　　３０　基板
３１　増幅器　　　　　　３２　ミキシングローパスフィルタ
３３　増幅器　　　　　　３６　低騒音イヤホンパワー増幅器
３５　イヤホン検出器　　３４　低音パワー増幅器
３７　立体音声増幅器
４０　導音管　　　　　　５０　低音スピーカ
６０　イヤホン　　　　　６１　マイクロホン
θ　傾角
【図１】
0003098373.tif 000003
【図２】
0003098373.tif 000004
【図３】
0003098373.tif 000005
【図４】
0003098373.tif 000006
【図５】
0003098373.tif 000007
【図６】
0003098373.tif 000008
【図７】
0003098373.tif 000009